(57)【要約】【課題】従来の部材固定装置は、固定ピンにテーパを設け、その細い部分から回転可能部材及び固定部材の穴に差し込むこみ、太い部分を固定部材の孔に圧入することで、回転可能部材を回転可能に固定していた。しかし、回転可能部材を回転させるたびに、固定ピンが徐々に抜けてしまうことがある。【解決手段】固定ピンに少なくとも１つの突起と、突起の近傍に設けた孔を設け、その突起は、部材の孔の孔径より大きくなるように設け、部材の孔に通す際には突起を設けた部分を弾性変形させることで突起を部材の孔の孔径よりも小さくし、部材の孔を貫通した時点で再び当該突起が部材の孔の孔径よりも大きくなるように構成した。【選択図】図１
2010001933.tif 000002
【特許請求の範囲】
【請求項１】
部材の孔に固定ピンを挿入することで部材を回動自在に固定する部材固定装置であって、前記固定ピンは、少なくとも１つの突起と、前記突起の近傍に設けた孔とを設け、前記突起は、前記部材の孔の孔径より大きくなるように設けられ、前記部材の孔に通す際には前記突起を設けた部分を弾性変形させることで当該突起を前記部材の孔の孔径よりも小さくし、前記部材の孔を貫通した時点で再び当該突起が前記部材の孔の孔径よりも大きくなるように構成することを特徴とする部材固定装置。
【請求項２】
前記固定ピンの孔の幅を部分的に狭くするように構成することを特徴とする請求項１記載の部材固定装置。
【請求項３】
前記部材は、当該部材の孔が前記固定ピンの孔を表出するように構成することを特徴とする請求項１あるいは請求項２の部材固定装置。
【発明の詳細な説明】
【技術分野】
【０００１】
本発明は、固定ピンを用いて回転可能部材を固定する部材固定装置に関する。
【背景技術】
【０００２】
従来の部材固定装置は、固定ピンにテーパを設け、その細い部分から回転可能部材及び固定部材の穴に差し込み、太い部分を固定部材の孔に圧入することで、回転可能部材を回転可能に固定することができる。しかし、回転可能部材を回転させるたびに、固定ピンが徐々に抜けてしまうという課題があった。
参考文献１に記載の部材固定装置は、プリント板に設けられた穴、及びプリント板支持アームに設けられたリング状の突起部に対して差し込むことで、プリント板をプリント板支持アームに固定することで、前記課題は解決している。
【特許文献１】特開昭６１−２４８５９９号公報
【発明の開示】
【発明が解決しようとする課題】
【０００３】
しかしながら、参考文献1に記載の部材固定装置をより小型機器に用いる場合、固定ピンの頭部が邪魔になる。しかし、参考文献1に記載の固定ピンは、差し込んだ方向とは逆の側から押し出すか、頭部を引っ掛けて引き抜くかしないと分解できないため、差し込んだ方向の逆から押し出せない構成の場合に、頭部をなくしてしまうと分解が不可能となってしまうという課題があった。また、参考文献1に記載の部材固定装置は、軸部の大きな弾性変形を利用して部材への組み付けを行うため、軸部の剛性が低く、固定ピン自体を回転軸とするような構成に用いる場合は、半径方向の荷重に対して中心のブレが大きくなるという課題があった。
【０００４】
本発明は、前記課題を解決されるためになされたものであり、回転動作させても固定ピンが抜けることはなく、さらに治具を利用して部材に固定された固定ピンを比較的容易に取り外すことができ、かつ小径でも剛性の高い固定ピンを有した部材固定装置を提供することを目的とする。
【課題を解決するための手段】
【０００５】
前記目的を達成するために、本発明の請求項１に記載の部材固定装置は、部材の孔に固定ピンを挿入することで部材を回動自在に固定する部材固定装置であって、前記固定ピンは、少なくとも１つの突起と、前記突起の近傍に設けた孔とを設け、前記突起は、前記部材の孔の孔径より大きくなるように設けられ、前記部材の孔に通す際には前記突起を設けた部分を弾性変形させることで当該突起を前記部材の孔の孔径よりも小さくし、前記部材の孔を貫通した時点で再び当該突起が前記部材の孔の孔径よりも大きくなるように構成することを特徴とする。
【０００６】
本構成によって、回転動作させても固定ピンが容易に抜けることがない部材固定装置を提供することができる。
【０００７】
また本発明の請求項２に記載の部材固定装置は、前記固定ピンの孔の幅を部分的に狭くするように構成することを特徴とする。
【０００８】
本構成によって、小径で剛性の高い固定ピンのたわみ部の塑性変形を、金型強度を確保しつつ抑制する部材固定装置を提供することができる。
【０００９】
また本発明の請求項３に記載の部材固定装置は、前記部材は、当該部材の孔が前記固定ピンの孔を表出するように構成することを特徴とする。
【００１０】
本構成によって、挿入方向と逆側から押し出すことができない構成において、固定ピンの頭部をなくした場合でも、工具を用いて容易に分解可能となる部材固定装置を提供することができる。
【発明の効果】
【００１１】
本発明の部材固定装置によれば、部材の孔を貫通した時点で再び突起が部材の孔の孔径よりも大きくなるため容易には取り外すことはできないようするとともに、突起近傍に設けた孔を利用することで容易に取り外すこともできる。
【発明を実施するための最良の形態】
【００１２】
以下、本発明のより具体的な形態として、携帯型テレビジョン受像機保持具について、図面を参照しながら詳細に実施の形態を説明する。なお、本実施の形態では携帯機器の一例として携帯型テレビジョン受像機保持具をあげているが、少なくとも2つの部材をある弾性変形する部材で固定している構成を有した構造物であればよい。
【００１３】
（実施の形態１）
図１、図２及び図３は、それぞれ本発明の実施の形態１にかかる携帯型テレビジョン受像機保持具の前面側の斜視図、左背面側の斜視図及び組み立て斜視図を示す。
図１において、携帯型テレビジョン受像機保持具は、携帯テレビを載せる事ができる保持台1と、保持台1を支える為のベース2とを備える。
【００１４】
図２及び図３に示すように、携帯型テレビジョン受像機保持具は、ベース2の右側に設けられた支柱２１に対してビス３によって固定されたロックヒンジユニット4を備え、ベース2の左側に設けられた支柱２２に設けた孔２３と保持台1の左側面に設けられた孔１１とを貫通することでベース2と保持台1を回動自在に固定する保持台回転軸５を備える。また、孔２３の円周を切欠くようにして、溝２４が設けられている。
【００１５】
図４は、保持台1の右側面図を示す。保持台１には孔１２と孔１３が設けられており、後述するロックヒンジ凸４２に設けられた突起部が係合する。
【００１６】
図５は、ロックヒンジユニット4の拡大図を示す。ロックヒンジユニット4は、ベース2にビス3で固定されるロックヒンジ凹４１、保持台1の孔１２、孔１３に係合する突起４２ａと４２ｂとを備えたロックヒンジ凸４２、ロックヒンジ凹４１とロックヒンジ凸４２を回動自在に連結するロックヒンジ軸４３からなり、ロックヒンジ凹４１とロックヒンジ凸４２がある特定の相対角度にあるときにはその角度を保持するような力が働く構造になっている。
【００１７】
以上のように、保持台1はベース２の支柱２１及び２２に左右方向を拘束されており、左端は保持台回転軸５によってベース2との回転方向以外の動きが規制され、右端はロックヒンジ凸４２と係合することによってロックヒンジ軸４３を中心としたベース２との回転以外の動きが規制された状態となっている。
【００１８】
図６は、図２におけるＺ−Ｚ部の断面図を示す。保持台回転軸５には貫通孔５１が設けられており、これにより梁５２及び５３が構成されている。さらに、梁５２上には突起５４が、梁５３上には突起５５が設けられている。
【００１９】
次に保持台回転軸５の取り付け及び取り外しの動きに関して、その詳細を説明する。
【００２０】
実施の形態１における携帯型テレビジョン受像機保持具の組立作業は、まずロックヒンジユニット４を保持台右端の孔１ｂ、１ｃに係合しする。この状態の保持台１およびロックヒンジユニット４をベース２に設けられた支柱の間に上方から挿入する。次に、保持台１の左端に設けられた孔１１とベース２の支柱２２に設けられた孔２３との中心軸が一致する位置で、保持台回転軸５を孔２３の左側面から挿入する。最後に、ビス3を支柱２１に設けられた孔を通し、ロックヒンジユニット4に設けられたタップ孔４４に固定する。
【００２１】
図７は、図６と同じ断面における孔２３の入り口に達する前の挿入途中を示す図であり、孔２３に保持台回転軸５を挿入する途中において突起５４及び５５が孔２３の入り口に達する前の段階を示す。
【００２２】
図８は、図６、図７と同じ断面における孔２３の入り口通過後の挿入途中図であり、突起５４、５５が孔２３の入り口を通過し、出口に達する前の段階を示す。図７に示すように孔２３の径よりも、突起５４、突起５５間の距離のほうが大きい。このとき、保持台回転軸５にＡ方向の力を加えると、突起５４、突起５５が孔２３の入り口に設けた斜面に接触し、保持台回転軸５の中心向きの力を受け、図８に示すように梁５２、５３の部分が撓む。これにより突起５４、５５間の距離が小さくなり、突起５４、５６の先端が、孔２３の内面に接触するようになり、保持台回転軸５は孔２３を無理なく貫通できる。
【００２３】
図７、図８の状態を経て、保持台回転軸5を奥まで挿入すると、図６に示した状態となり、突起部５４、５５が孔２３を完全に通り抜ける。これにより、突起部５４、５５間を押さえつける力がなくなるので梁５２、５３の撓みが解消されて、突起部５４、５５間の距離が孔２３の径よりも大きくなる。これにより、再び梁５２、５３を十分に撓み変形させる大きさの力が図5に示すB方向に加わらない限り、保持台回転軸５は抜けない。
【００２４】
図９は、図２におけるＹ−Ｙ部の断面図を示す。孔５１が溝２４に正対するように保持台回転軸5を回転してある。図９の状態では、孔５１と溝２４とが形成する隙間に工具6を差し込み、引き上げることで、保持台回転軸にB方向の力を加えることができる。これにより、保持台回転軸5を孔２３から容易に抜去することができる。なお、突起５４、５５は斜面で形成されているため、挿入、抜去の際に削れることなく、繰り返し挿抜可能である。
【００２５】
なお、実施の形態２では、溝２４を構成して保持台回転軸5を取り出しているが、図１０及び図１１に示す構成をとっても、同様の効果が得られる。
(実施の形態２)
図１２は、実施の形態２にかかる携帯型テレビジョン受像機保持具の保持台回転軸を示す。
【００２６】
保持台回転軸5に対して、貫通孔５１をつぶす方向に大きな力が加わるような非常に過酷な状況においては、実施の形態１の保持台回転軸５では、梁５２、５３が弾性限度を超えてたわみ、塑性変形する恐れがある。塑性変形によって突起部５４、５５間の距離が孔２３の径を下回ったまま復帰しなくなると、保持台回転軸5は容易に孔２３から脱落してしまう。梁５２、５３が一定以上たわむと、当て部５６と５７が接触する。これにより、それ以上のたわみが制限され、梁５２、５３の塑性変形を抑制できる。
【００２７】
ところで、部分的な当て部を設けるのではなく、梁５２と５３との距離を全体的に小さくすることによっても過大なたわみを抑制することができるが、このような構成をとると、保持台回転軸5を射出成形で生産する場合に貫通孔５１部を構成するための金型が全体的に薄肉とり、図１２で示した構成よりも金型強度的に不利となる。
【００２８】
なお、実施の形態２では、当て部５２及び５３を梁５２及び５３に一体に形成したが、図１３及び図１４に示すように、深さ方向に部分的な当て部としても良い。このような構成にすることで、図１２の構成よりもさらに金型の強度を高くすることが可能となる。
【産業上の利用可能性】
【００２９】
本発明にかかる固定ピンは、小型で剛性の高い構造が可能になるので、回転部を有する小型機器に有用である。
【図面の簡単な説明】
【００３０】
【図１】本発明の実施の形態１にかかる携帯型テレビジョン受像機保持具の前面側の斜視図
【図２】本発明の実施の形態１にかかる携帯型テレビジョン受像機保持具の左背面側の斜視図
【図３】本発明の実施の形態１にかかる携帯型テレビジョン受像機保持具の左背面側の組み立て斜視図
【図４】本発明の実施の形態１にかかる携帯型テレビジョン受像機保持具の保持台の右側面図
【図５】本発明の実施の形態１にかかる携帯型テレビジョン受像機保持具のロックヒンジユニットの拡大図
【図６】本発明の実施の形態１にかかる携帯型テレビジョン受像機保持具の左背面側の組み立て斜視図に関するＺ−Ｚ部の断面図
【図７】本発明の実施の形態１にかかる携帯型テレビジョン受像機保持具の保持台回転軸の孔入り口に達する前の挿入途中状態を示す図
【図８】本発明の実施の形態１にかかる携帯型テレビジョン受像機保持具の保持台回転軸の孔入り口通過後の挿入途中状態を示す図
【図９】本発明の実施の形態１にかかる携帯型テレビジョン受像機保持具のＹ−Ｙ部の断面図
【図１０】本発明の実施の形態１にかかる携帯型テレビジョン受像機保持具の部材の孔を示す斜視図
【図１１】本発明の実施の形態１にかかる携帯型テレビジョン受像機保持具の部材の孔に関するＹ−Ｙ部の断面図
【図１２】本発明の実施の形態２にかかる携帯型テレビジョン受像機保持具の保持台回転軸を示す図
【図１３】本発明の実施の形態２にかかる携帯型テレビジョン受像機保持具の部分的な当て部を施した保持台回転軸を示す図
【図１４】本発明の実施の形態２にかかる携帯型テレビジョン受像機保持具の部分的な当て部を施した保持台回転軸に関するＸ−Ｘ部の断面図
【符号の説明】
【００３１】
１  保持台
１１、１２、１３  孔
１ｂ、１ｃ  孔
２  ベース
２１、２２  支柱
２３  孔
２４  溝
３  ビス
４  ロックヒンジユニット
４１  ロックヒンジ凹
４２  ロックヒンジ凸
４３  ロックヒンジ軸
４４  タップ孔
５  保持台回転軸
５１  貫通孔
５２、５３  梁
５４、５５  突起
【図１】
2010001933.tif 000003
【図２】
2010001933.tif 000004
【図３】
2010001933.tif 000005
【図４】
2010001933.tif 000006
【図５】
2010001933.tif 000007
【図６】
2010001933.tif 000008
【図７】
2010001933.tif 000009
【図８】
2010001933.tif 000010
【図９】
2010001933.tif 000011
【図１０】
2010001933.tif 000012
【図１１】
2010001933.tif 000013
【図１２】
2010001933.tif 000014
【図１３】
2010001933.tif 000015
【図１４】
2010001933.tif 000016